(57)【要約】【課題】表示画面による情報伝達機能やデザイン性を損なうことなく、音声認識可能な単語をユーザに報知する【解決手段】音声認識部１１０は、認識辞書１６０に登録された認識対象単語を認識することができるようになっている。ユーザから検索等の処理要求がなされると、要求処理部１２０はその要求に対する処理結果（検索結果など）を表示するための画面の構成要素を作成する。表示制御部１３０は、このような画面中に含まれる単語の中に、認識辞書１６０に登録される単語がある場合には、かかる単語についてはあらかじめ認識辞書に登録された単語用に用意されている表示規則にしたがって表示態様を決定する。これにより辞書に登録されていない単語とは異なる態様で表示することができ、ユーザが要求する処理に対する結果を伝えつつ、認識可能な単語を報知することができる。【選択図】        図１
2005242183.tif 000002
【特許請求の範囲】
【請求項１】
音声認識の対象となる複数の単語およびこれらの単語の読み方を格納する認識辞書と、
入力される音声に対し、前記認識辞書を参照して音声認識処理を行う音声認識手段と、
前記認識辞書に格納される単語の表示態様を規定する表示規則を記憶する表示規則記憶手段と、
入力された要求に対する要求処理結果を表示画面に表示する際に、前記表示画面の中に前記認識辞書に格納される単語が含まれている場合、含まれている単語について前記表示規則記憶手段に記憶されている表示規則にしたがって表示態様を決定する表示制御手段と、
を具備することを特徴とする音声認識装置。
【請求項２】
音声認識の対象となる複数の単語およびこれらの単語の読み方を格納する認識辞書と、
入力される音声に対し、前記認識辞書を参照して音声認識処理を行う音声認識手段と、
前記認識辞書に格納される単語の表示態様を規定する表示規則を記憶する表示規則記憶手段と、
前記音声認識手段により認識された音声に基づく要求を処理する要求処理手段と、
入力された要求に対する前記要求処理手段による要求処理結果を表示画面に表示する際に、前記表示画面の中に前記認識辞書に格納される単語が含まれている場合、含まれている単語について前記表示規則記憶手段に記憶されている表示規則にしたがって表示態様を決定する表示制御手段と、
を具備することを特徴とする音声認識装置。
【請求項３】
前記認識辞書に複数種類の読み方が格納される単語について、あらかじめ決められた基準に基づき、文字列を決定する表示読み方対応文字列決定手段をさらに具備し、
前記表示制御手段は、前記表示読み方対応文字列決定手段によって決定された文字列の表示態様を前記表示規則にしたがって決定する
ことを特徴とする請求項１または請求項２に記載の音声認識装置。
【請求項４】
前記認識辞書に複数種類の読み方が可能される単語について、前記音声認識手段によって認識された際に入力された読み方の頻度を記録する読み方頻度管理手段をさらに具備し、
前記表示読み方決定手段は、前記認識辞書に複数種類の読み方が格納される単語について、前記読み方頻度管理手段により記録されている読み方頻度が最も多い読み方に対応する文字列を前記表示規則にしたがって表示態様を決定すべき文字列して決定する
ことを特徴とする請求項３に記載の音声認識装置。
【請求項５】
前記表示読み方決定手段は、前記認識辞書に格納される単語を構成する文字数があらかじめ決められた値より小さい単語について、当該単語全体の読み方を前記表示規則にしたがって表示態様を決定すべき文字列として決定する
ことを特徴とする請求項３または４に記載の音声認識装置。
【請求項６】
前記認識辞書に格納される単語について重要度を決定する重要度決定手段をさらに具備し、
前記表示制御手段は、前記表示規則および前記重要度決定手段によって決定された重要度に基づいて表示態様を決定する
ことを特徴とする請求項１ないし５のいずれか一つに記載の音声認識装置。
【請求項７】
前記重要度決定手段は、入力された要求に対する前記要求処理手段による結果として表示画面に表示される結果に含まれる単語について、すでに入力された要求内容に基づいて重要度を決定する
ことを特徴とする請求項６に記載の音声認識装置。
【請求項８】
前記重要度決定手段は、前記要求処理手段の動作状況に基づいて重要度を決定する
ことを特徴とする請求項６または７に記載の音声認識装置。
【請求項９】
音声認識の対象となる複数の単語およびこれらの単語の読み方を格納する認識辞書と、入力される音声に対し、前記認識辞書を参照して音声認識処理を行う音声認識手段とを備えた音声認識装置で認識可能な単語を表示させる表示制御装置であって、
入力された要求に対する要求処理結果を表示画面に表示する際に、その表示内容を制御する表示制御手段と、
前記認識辞書に格納される単語の表示態様を規定する表示規則を記憶する表示規則記憶手段とを具備し、
前記表示制御手段は、前記表示画面に表示すべき結果の中に、前記認識辞書に格納される単語が含まれている場合、含まれている単語について前記表示規則記憶手段に記憶されている表示規則にしたがって表示態様を決定する
ことを特徴とする表示制御装置。
【請求項１０】
画像を記憶する処理を行うレコーダ装置であって、
音声認識の対象となる複数の単語およびこれらの単語の読み方を格納する認識辞書と、
入力される音声に対し、前記認識辞書を参照して音声認識処理を行う音声認識手段と、
前記音声認識手段により認識された音声に基づく要求を処理する要求処理手段と、
要求に対する前記要求処理手段による結果を表示画面に表示する際にその表示内容を制御する表示制御手段と、
前記認識辞書に格納される単語の表示態様を規定する表示規則を記憶する表示規則記憶手段とを具備し、
前記表示制御手段は、前記表示画面に表示すべき結果の中に、前記認識辞書に格納される単語が含まれている場合、含まれている単語について前記表示規則記憶手段に記憶されている表示規則にしたがって表示態様を決定する
ことを特徴とするレコーダ装置。
【請求項１１】
音声認識の対象となる複数の単語およびこれらの単語の読み方を格納する認識辞書と、入力される音声に対し、前記認識辞書を参照して音声認識処理を行う音声認識手段とを備えた音声認識装置が認識可能な単語を表示する方法であって、
入力された要求に対する要求処理結果を表示画面に表示する際に、当該表示画面に表示すべき結果の中に、前記認識辞書に格納される単語が含まれている場合、含まれている単語についてあらかじめ決められた表示規則にしたがって表示態様を決定する
ことを特徴とする表示方法。
【請求項１２】
コンピュータを、
入力された要求に対する要求処理結果を表示画面に表示する際に、当該表示画面に表示すべき結果の中に、音声認識処理に用いられる認識辞書に格納される単語が含まれている場合、含まれている単語についてあらかじめ決められた表示規則にしたがって表示態様を決定する表示制御手段
として機能させることを特徴とするプログラム。
【発明の詳細な説明】
【技術分野】
【０００１】
本発明は、音声認識により認識可能な単語を表示する表示制御装置、音声認識装置、レコーダ装置、表示方法およびプログラムに関するものである。
【背景技術】
【０００２】
近年、音声認識技術が様々な機器において利用されており、これらの機器に音声入力インタフェースが組み込まれている。音声入力インタフェースを用いることでキーボードなどの入力デバイスを用いることなく、機器に対する入力の際の利便性が向上することになるが、ユーザが音声認識の対象となっていない単語等を発声した場合、ユーザが意図した単語と異なる単語が誤認識され、ユーザの意図しない動作が行われてしまうおそれがある。
【０００３】
すなわち、一般的な音声認識技術では、音声認識の対象となる単語、つまり認識可能な単語をあらかじめ認識辞書に格納しておき、認識辞書に格納された単語の中で最も入力音声に近い単語を認識結果として出力するため、認識辞書に格納されていない単語を発声すると、上記のような誤認識がなされたり、認識できなかったりすることがあるのである。
【０００４】
特に、このような音声入力インタフェースを搭載した機器をほとんど利用したことのない利用者は、何を言えば機器が動作するのかわからずに困惑することも多く、認識される単語を調べるためにマニュアルを引いていたのでは、入力を簡易にするという音声入力インタフェースの利点が生かされない。
【０００５】
以上のような問題を解決するためには、ユーザに認識対象単語を音声や表示等の出力インタフェースを用いて適切に報知する必要があり、認識可能な単語のリストを表示画面の一部に表示させる技術や（例えば、特許文献１参照）、ヘルプ発話によって認識可能な単語を補助画面に表示させるといった技術が提案されている（例えば、特許文献２参照）。
【０００６】
また、装置に入力可能な単語を、赤色、青色等の異なる表示態様で表示させるとともに、ユーザが入力したい単語の表示形態の種類、例えば「アカ」、「アオ」等が発声された場合に、発声された表示形態の種類に対応する単語を入力する技術が提案されている（例えば、特許文献３参照）。
【０００７】
【特許文献１】特開平６−３３２６６５号公報
【特許文献２】特開平１１−６５７３９号公報
【特許文献３】特開２００２−２７８５８７号公報
【発明の開示】
【発明が解決しようとする課題】
【０００８】
しかしながら、上記特許文献１に開示された技術では、認識対象の単語が非常に多くなれば、全ての認識可能な単語を一度にリスト表示するのは難しく、リストを表示するために画面領域の一部に本来表示すべき内容が表示できないといったことも生じる。さらには、リスト表示のために画面のデザイン性も損なわれる。
【０００９】
また、特許文献２に開示された技術では、補助画面を表示・消去するのにヘルプ発話といった音声コマンドの入力が必要になるため、機器との間で冗長なやりとりが増え、入力の簡易化という音声入力インタフェースの利点が活かされない。
【００１０】
また、特許文献３に開示された技術は、表示形態の種類を発声することで所望の単語を入力する技術であり、結果として表示された入力項目を入力することができるが、音声認識可能な単語そのものをユーザに報知するものではない。
【００１１】
すなわち、特許文献３に開示された技術では、「アカ」、「アオ」といった表示形態の種類が音声認識可能な単語であるが、これらの単語についてはユーザが音声入力が可能であることを前提とし、認識可能な表示形態の種類に入力項目を割り当て、認識可能であることが既知の「アカ」等の単語を発声することで、それに対応する入力項目を選択する技術である。したがって、表示を通して音声認識可能な単語をユーザに報知することはできず、また入力が直接的ではないため、音声入力インタフェースを搭載した機器の操作などと直感的に結びつかず分かり難いという問題があった．
【００１２】
本発明は、上記に鑑みてなされたものであって、表示画面による情報伝達機能やデザイン性を損なうことなく、音声認識可能な単語をユーザに報知することができる音声認識装置、表示制御装置、レコーダ装置、音声認識方法およびプログラムを提供することを目的とする。
【課題を解決するための手段】
【００１３】
上述した課題を解決し、目的を達成するために、本発明の一態様にかかる音声認識装置は、音声認識の対象となる複数の単語およびこれらの単語の読み方を格納する認識辞書と、入力される音声に対し、前記認識辞書を参照して音声認識処理を行う音声認識手段と、
前記認識辞書に格納される単語の表示態様を規定する表示規則を記憶する表示規則記憶手段と、入力された要求に対する要求処理結果を表示画面に表示する際に、前記表示画面の中に前記認識辞書に格納される単語が含まれている場合、含まれている単語について前記表示規則記憶手段に記憶されている表示規則にしたがって表示態様を決定する表示制御手段と、を具備することを特徴とする。
【００１４】
また、本発明の別の態様にかかる音声認識装置は、音声認識の対象となる複数の単語およびこれらの単語の読み方を格納する認識辞書と、入力される音声に対し、前記認識辞書を参照して音声認識処理を行う音声認識手段と、前記認識辞書に格納される単語の表示態様を規定する表示規則を記憶する表示規則記憶手段と、前記音声認識手段により認識された音声に基づく要求を処理する要求処理手段と、入力された要求に対する前記要求処理手段による要求処理結果を表示画面に表示する際に、前記表示画面の中に前記認識辞書に格納される単語が含まれている場合、含まれている単語について前記表示規則記憶手段に記憶されている表示規則にしたがって表示態様を決定する表示制御手段と、を具備することを特徴とする。
【００１５】
また、本発明の別の態様にかかる表示制御装置は、音声認識の対象となる複数の単語およびこれらの単語の読み方を格納する認識辞書と、入力される音声に対し、前記認識辞書を参照して音声認識処理を行う音声認識手段とを備えた音声認識装置で認識可能な単語を表示させる表示制御装置であって、入力された要求に対する要求処理結果を表示画面に表示する際に、その表示内容を制御する表示制御手段と、前記認識辞書に格納される単語の表示態様を規定する表示規則を記憶する表示規則記憶手段とを具備し、前記表示制御手段は、前記表示画面に表示すべき結果の中に、前記認識辞書に格納される単語が含まれている場合、含まれている単語について前記表示規則記憶手段に記憶されている表示規則にしたがって表示態様を決定することを特徴とする。
【００１６】
また、本発明の別の態様にかかるレコーダ装置は、画像を記憶する処理を行うレコーダ装置であって、音声認識の対象となる複数の単語およびこれらの単語の読み方を格納する認識辞書と、入力される音声に対し、前記認識辞書を参照して音声認識処理を行う音声認識手段と、前記音声認識手段により認識された音声に基づく要求を処理する要求処理手段と、要求に対する前記要求処理手段による結果を表示画面に表示する際にその表示内容を制御する表示制御手段と、前記認識辞書に格納される単語の表示態様を規定する表示規則を記憶する表示規則記憶手段とを具備し、前記表示制御手段は、前記表示画面に表示すべき結果の中に、前記認識辞書に格納される単語が含まれている場合、含まれている単語について前記表示規則記憶手段に記憶されている表示規則にしたがって表示態様を決定することを特徴とする。
【００１７】
また、本発明の別の態様にかかる表示方法は、音声認識の対象となる複数の単語およびこれらの単語の読み方を格納する認識辞書と、入力される音声に対し、前記認識辞書を参照して音声認識処理を行う音声認識手段とを備えた音声認識装置が認識可能な単語を表示する方法であって、入力された要求に対する要求処理結果を表示画面に表示する際に、当該表示画面に表示すべき結果の中に、前記認識辞書に格納される単語が含まれている場合、含まれている単語についてあらかじめ決められた表示規則にしたがって表示態様を決定することを特徴とする。
【００１８】
また、本発明の別の態様にかかるプログラムは、コンピュータを、入力された要求に対する要求処理結果を表示画面に表示する際に、当該表示画面に表示すべき結果の中に、音声認識処理に用いられる認識辞書に格納される単語が含まれている場合、含まれている単語についてあらかじめ決められた表示規則にしたがって表示態様を決定する表示制御手段
として機能させることを特徴とする。
【発明の効果】
【００１９】
本発明によれば、表示画面による情報伝達機能やデザイン性を損なうことなく、音声認識可能な単語をユーザに報知することができるという効果を奏する。
【発明を実施するための最良の形態】
【００２０】
以下に添付図面を参照して、この発明にかかる音声認識装置、表示制御装置、レコーダ装置、音声認識方法およびプログラムの好適な実施の形態を詳細に説明する。
【００２１】
（第１の実施の形態）
図１は、本発明の第１の実施の形態にかかる音声認識装置の構成を示すブロック図である。同図に示すように、この音声認識装置１０は、音声入力部１００と、音声認識部１１０と、要求処理部１２０と、表示制御部１３０と、表示部１４０と、音響辞書１５０と、認識辞書１６０と、規則適用単語テーブル１７０と、表示規則記憶部１８０と、要求処理用情報記憶部１９０とを備える。
【００２２】
このように本実施の形態における音声認識装置１０は、ユーザからの要求を入力し、当該要求に応じた処理を行うための要求処理部１２０や要求処理用情報記憶部１９０を備えているが、要求処理部１２０や要求処理用情報記憶部１９０を音声認識装置内に一体に組み込む構成とする必要はなく、これらを分離した構成としてもよい。
【００２３】
音声入力部１００は、マイクロホン等を有しており、当該音声認識装置１０のユーザが発声した音声等の音を受信し、受信した音を音声認識部１１０が処理可能な音響信号に変換して出力する。
【００２４】
音声認識部１１０は、音声入力部１００から供給される音響信号を解析し、音響辞書１５０を参照しながら認識辞書１６０に格納された単語と音響的に最も類似するものを認識結果として要求処理部１２０に出力する。これによりユーザは音声入力部１００に向けて、要求処理部１２０に対して入力したい単語（要求内容等）を発声すれば、音声認識部１１０によって入力したい単語が認識結果として入力される。なお、ここで、認識対象となる単語とは、１つの単語のみならず、複数の単語からなる単語列も含むものとする。また、音声認識部１１０が行う音声認識方法は、ＨＭＭ（Hidden Markov Model）を利用する方法など公知の種々の方法を用いることができる。
【００２５】
音響辞書１５０には、上記のような音声認識部１１０によって用いられる音響に関する情報が格納されており、認識辞書１６０には音声認識部１１０によって認識可能な単語、および認識可能単語を認識するためにユーザが発声することが可能な読み方が格納されている。図２に、認識辞書１６０に格納される情報の一例を示す。
【００２６】
同図に示すように、認識辞書１６０には、認識対象単語「情報通」、「しん」、「黄門様」、「高校野球」‥‥と、これらの認識対象単語に対応する読み方「じょうほうつう」、「しん」、「こうもんさま」、「こうこうやきゅう」‥‥とが対応つけて格納されている。したがって、ユーザが音声入力部１００に向けて「こうもんさま」と発声すると、音声認識部１１０によって読み方「こうもんさま」に対応する単語「黄門様」が認識され、認識結果として出力されるのである。
【００２７】
図１に戻り、要求処理部１２０は、上記のように音声認識部１１０の認識結果であるユーザの要求に応じた処理を行い、その処理結果を表示部１４０に表示させるべく、処理結果を表示制御部１３０に出力する。本実施の形態では、要求処理部１２０は、ユーザが入力した単語（テレビ番組名等）に関する検索処理を行うものであり、要求処理用情報記憶部１９０には要求処理部１２０が要求に応じた処理を行うために必要な情報が記憶されている。
【００２８】
ここで、要求処理用情報記憶部１９０に記憶される情報の一例を図３に示す。同図に示す例では、要求処理用情報記憶部１９０には、上記要求処理部１２０によって行われる検索処理に必要な番組データベースが格納されている。このような番組データベースが記憶されている場合、要求処理部１２０はユーザからの番組検索要求に応じてテレビ番組の検索を行うことができる。
【００２９】
番組データベースは、「ＩＤ」、「番組名」、「放送日時」、「放送局」、「ジャンル」、「出演者」といった番組に関する項目情報が対応つけられたものとなっている。このような番組データベースを参照することで、要求処理部１２０は、ユーザが出演者名（峰竜太郎等）やジャンル（社会・報道）をキーとして検索要求をなした場合に、当該出演者が出演している番組や要求したジャンルの番組等を検索することができるようになっている。
【００３０】
つまり、本実施の形態では、ユーザが検索を要求する番組名、出演者名等の単語を音声入力部１００に向けて発することで、かかる単語が音声認識されて要求処理部１２０に供給される。要求処理部１２０は、このように音声認識を利用して入力された単語に関する情報を要求処理用情報記憶部１９０に格納された情報の中から検索し、検索結果を表示するための画面の構成要素を表示制御部１３０に供給するのである。
【００３１】
図１に戻り、表示制御部１３０は、要求処理部１２０によって処理されたユーザの要求に対する結果、つまりユーザが検索要求した単語に関する検索結果を表示部１４０に表示するための表示用データを生成し、表示部１４０に出力する。本実施の形態における表示制御部１３０は、要求処理部１２０の処理結果を単純に表示させるのではなく、かかる処理結果を表示させる際に、認識辞書１６０に格納された単語、つまり音声認識可能な単語をユーザに報知しうる表示が行われるよう表示内容を制御する。
【００３２】
上記のような表示内容制御を行うため表示制御部１３０は、規則適用単語決定部１３１と、表示態様決定部１３２とを有している。規則適用単語決定部１３１は、上記のように表示部１４０に表示するべく要求処理部１２０から供給された処理結果（テレビ番組の検索結果等）の中に、認識辞書１６０に格納されている単語（図２の「情報通」、「黄門様」など）が含まれているか否かを調査し、含まれている場合にはその単語を後述する表示規則の適用がある単語であるとして規則適用単語テーブル１７０に登録する。
【００３３】
ここで、図４に規則適用単語テーブル１７０の内容の一例を示す。同図に示すように、規則適用単語テーブル１７０には、要求処理部１２０による処理結果に含まれる単語と、当該単語に表示規則が適用されるか否かを示す適用フラグとが登録されている。ここで、適用フラグが「１」の場合には適用があることを示し、「０」は適用がないことを表すフラグである。上記のように認識辞書１６０に格納されている「黄門様」や「次のページ」という単語については適用フラグ「１」が、認識辞書に格納されていない単語「２件」については適用フラグ「０」が付与されることになる。
【００３４】
表示態様決定部１３２は、上記のように規則適用単語決定部１３１によって登録された規則適用単語テーブル１７０を参照し、適用フラグが「１」、つまり規則を適用することが決定された単語について、表示規則記憶部１８０に記憶された表示規則にしたがった態様で表示がなされるよう表示内容を制御する。すなわち、規則が適用されない単語については特別の処理が行われず、当該装置の表示設定にしたがった態様で表示されるのに対し、規則が適用される旨が登録された単語については、その時点の表示設定にかかわらず表示規則記憶部１８０に記憶された表示規則にしたがった態様で表示されるよう制御されるのである。
【００３５】
ここで、図５に表示規則記憶部１８０に記憶される表示規則の一例を示す。同図に示すように、この表示規則では、適用フラグ「０」が付与された単語の場合、つまり適用しない単語については「変更なし」、つまり装置の表示設定等にしたがった態様で表示をなすようになっているのに対し、適用フラグ「１」が付与された単語の場合、つまり適用のある単語については「Font+2、Bold化」といった態様で表示すべき旨が規定されている。なお、特許請求の範囲における表示規則は、認識辞書１６０に格納された単語について適用されるものをいうので、表示規則記憶部１８０に格納される適用フラグ「１」に対応する規則が、特許請求の範囲における表示規則に該当する。ただし、適用フラグ「０」に対応する単語について適用する他の規則を用意し、これを表示規則記憶部１８０に記憶させるようにしてもよい。
【００３６】
これを参照した表示態様決定部１３２は、適用フラグ「１」が付与された単語については、通常の設定よりもフォントを２つ大きく、かつボールド化して表示させる、つまり適用のない単語よりもフォントを２つ大きく、かつボールド化して表示させるよう制御するのである。
【００３７】
表示部１４０は、ＬＣＤ（Liquid Crystal Display）等の表示画面を有しており、この表示画面に要求処理部１２０の処理結果に対応する内容であり、上記表示制御部１３０によって制御された内容の表示がなされる。
【００３８】
以上が本発明の第１の実施の形態にかかる音声認識装置１０の構成であり、以下当該音声認識装置１０の動作について具体例を挙げながら説明する。ここでは、要求処理部１２０がユーザからの音声入力によるテレビ番組検索要求、例えばジャンルや出演者を指定した番組検索要求に対する処理を行い、その処理結果であるテレビ番組検索結果を表示部１４０に表示する場合を例に挙げて説明する。
【００３９】
まず、ユーザが音声入力部１００に向けて、所望の検索のための情報、つまり所望番組のジャンル、出演者、チャンネル、放送時刻、番組名等の情報を発声する。例えば、「今日のドラマ」、「１０チャンネル」、「松平武司の出演している番組」等の検索条件を発声する。すると、音声入力部１００によってかかる音声が音響信号に変換され、当該音響信号に対して音声認識部１１０による音声認識処理が行われる。
【００４０】
ここで、ユーザが「今日のドラマ」といった言葉を発した場合、音声認識部１１０によって「今日のドラマ」が認識され、検索条件文言として要求処理部１２０に供給される。要求処理部１２０は、かかる検索条件文言にしたがって検索処理を行う。かかる検索処理の手順を図６を参照しながら説明する。
【００４１】
同図に示すように、要求処理部１２０は、入力された「今日のドラマ」が受理可能か否かを判定すると同時に、番組検索処理において検索キーや操作コマンドに対応する単語と、その属性を抽出する（ステップＳ１０１）。例えば、要求処理部１２０は、受理可能な単語列をあらかじめテンプレートの形式で保持しており、テンプレートと一致するか否かで受理可能の判定を行うものとする。ここで、要求処理部１２０が保持する複数のテンプレートの「“日付”の “ジャンル"」が含まれているものとする。
【００４２】
この場合、認識結果の「今日」は日付、「ドラマ」はジャンルの具体値であると判別することができ、「“今日”の “ドラマ"」は保持するテンプレートに合致する。よって、「今日のドラマ」は受理可能な単語として判定され、「今日」という属性と、「ドラマ」という属性が抽出される。
【００４３】
上記のように属性を抽出すると、要求処理部１２０は、抽出した属性値を用いて、検索クエリを作成し、要求処理用情報記憶部１９０に記憶されている番組データベース（図３参照）から条件に合致する番組を検索する（ステップＳ１０２）。例えば、その要求をなした日が２００３年８月２０日だとすれば、ＩＤ「０２」の「しん」、ＩＤ「０３」の「黄門様」などの番組が検索される。
【００４４】
以上のように番組検索を行うと、要求処理部１２０はかかる検索結果を表示部１４０に表示させるための内容、つまり表示画面の構成要素を生成する（ステップＳ１０３）。ここで、要求処理部１２０は、あらかじめ保持されている表示画面の構成要素のテンプレートを利用して表示画面の構成要素を生成する。ここで、図７に、保持されているテンプレートの一例を示す。
【００４５】
要求処理部１２０は、同図に示されるようなテンプレートの[]で表現される枠内に上記検索結果等を当てはめる形で表示画面の構成要素を生成する。そして、上記のように番組「しん」と「黄門様」が検索された場合には、図８に示すような表示画面の構成要素が生成されることになる。
【００４６】
以上が要求処理部１２０による検索処理およびその結果を表示するための構成要素の生成処理であり、このように生成された検索結果の表示画面の構成要素が表示制御部１３０に供給される。表示制御部１３０では、上記のように検索結果を表示するための構成要素に含まれる単語をそのまま表示させるのではなく、かかる検索結果を表示させる際に、音声認識可能な単語をユーザに報知しうる表示が行われるよう表示内容を制御する。
【００４７】
このような制御を行う表示制御部１３０の規則適用単語決定部１３１の処理動作について、図８に示すような検索結果表示画面の構成要素が供給された場合を例に挙げて説明する。図９に示すように、規則適用単語決定部１３１は、検索結果の表示画面の構成要素の中から最初の単語（「２件」）を取得する（ステップＳ２０１）。
【００４８】
このように表示画面の構成要素から単語を切り出す方法としては、空白で区切られた文字列を一つの単語とみなして切り出す手法や、形態要素解析方法など公知の種々の方法を用いることができる。このように最初の単語を切り出すと、規則適用単語テーブル１７０に取得した単語（「２件」）を登録するとともに、当該単語に対応する適用フラグを初期化（フラグ＝「０」）する（ステップＳ２０２）。
【００４９】
そして、認識辞書１６０（図２参照）に格納されている最初の単語（「情報通」）を取得する（ステップＳ２０３）。この後、表示画面の構成要素から取得した単語、つまり検索結果として表示すべき内容に含まれる単語の中から取得した単語と、認識辞書１６０から取得した単語とを比較し、両者が一致するか否かを判別する（ステップＳ２０４）。
【００５０】
ここで、両者が一致しない場合（上記例では取得される単語が「２件」と「情報通」であるので一致しない）、表示画面の構成要素から取得された単語と、認識辞書１６０に格納されている単語すべてとを比較したか否かを判別する（ステップＳ２０５）。そして、すべての単語と比較していない場合には、認識辞書１６０の中から次の単語を取得し（ステップＳ２０６）、ステップＳ２０４に戻り、認識辞書１６０から取得した単語と、表示画面の構成要素から取得した単語とが一致するか否かを判別する。つまり、検索結果として表示すべき内容に含まれる単語が、認識辞書１６０に格納されている単語であるか否かを判別するのである。
【００５１】
一方、ステップＳ２０４において両単語が一致すると判別される場合、規則適用単語テーブル１７０の当該単語の適用フラグに「１」と立て（ステップＳ２０７）、当該単語が規則適用単語である旨の登録を行う。そして、表示画面の構成要素に含まれるすべての単語について認識辞書１６０に格納される単語との比較処理を行ったか否かを判別し（ステップＳ２０８）、すべての単語について処理済でない場合、表示画面の構成要素から次の単語を取得し（ステップＳ２０９）、ステップＳ２０２に戻り、規則適用単語テーブル１７０に登録するとともに、当該単語に対応する適用フラグを初期化する。
【００５２】
また、ステップＳ２０５において表示画面の構成要素に含まれるある単語について認識辞書１６０中のすべての単語との比較が終了したと判別された場合、適用フラグを立てる処理（ステップＳ２０７）は行われず、ステップＳ２０８に進む。つまり、表示画面の構成要素中の当該ある単語については、適用フラグは「０」のままである。
【００５３】
そして、ステップＳ２０８において、表示画面の構成要素に含まれるすべての単語について比較処理が終了したと判別された場合、規則適用単語テーブル１７０への登録処理を終了する。すなわち、検索結果表示画面の構成要素に含まれるすべての単語について、認識辞書１６０中のすべての単語との一致不一致の判定が行われると、当該処理が終了する。
【００５４】
以上のような処理を行うことで、要求処理部１２０の検索結果を表示すべき内容、つまり表示画面の構成要素に含まれる単語のすべてについて、規則を適用すべきか否かの判断が行われ、規則適用のある単語についてはその旨のフラグ「１」が規則適用単語テーブル１７０に登録される。
【００５５】
上記のような規則適用単語テーブル１７０への登録処理が終了すると、表示態様決定部１３２は、登録処理後の規則適用単語テーブル１７０を参照して、要求処理部１２０から供給された表示画面の構成要素中の各単語の表示態様を決定する処理を行う。かかる処理の詳細について図１０を参照しながら説明する。
【００５６】
同図に示すように、まず規則適用単語テーブル１７０に登録された最初の単語を取得する（ステップＳ３０１）。そして、表示規則記憶部１８０に記憶されている表示規則（図５参照）を参照し、取得した単語に対応する適用フラグに対応する規則を抽出する（ステップＳ３０２）。すなわち、適用フラグが「１」である場合には、当該単語について適用フラグ「１」に対応する、つまり認識辞書１６０に登録された単語用の表示規則を抽出し、当該規則にしたがった表示修正を行う。具体的には、フォントを２つ大きくし、かつボールド化して表示されるように表示形態を修正する（ステップＳ３０３）。
【００５７】
一方、取得した単語に対応する適用フラグが「０」の場合、抽出される規則は「変更なし」、つまり特別な表示規則が適用されないことを意味し、当該規則にしたがった特別な修正はなされないことになる。本実施の形態では、変更なしとして記憶するようにしているが、適用フラグ「０」は表示規則が適用されないということを意味しているので、このような情報を記憶しないようにしてもよい。
【００５８】
以上のように表示規則にしたがった修正（修正なしの場合もあり）がなされると、規則適用単語テーブル１７０に登録されているすべての単語について上記表示規則に従った修正処理をなしたか否かを判別する（ステップＳ３０４）。そして、すべての登録単語について処理が終了していない場合には、規則適用単語テーブル１７０から次の単語を取得し（ステップＳ３０５）、ステップＳ３０２以降の処理を行う。
【００５９】
一方、すべての登録単語について処理が終了した場合には、当該表示態様決定処理を終了する。このような処理を行うことで、要求処理部１２０の検索結果を表示すべき内容、つまり表示画面の構成要素に含まれる単語のうち、認識辞書１６０に格納されている単語については、表示規則にしたがって表示態様の修正処理（規則適用のない場合よりもフォント２サイズ大きく、かつボールド化）がなされる。
【００６０】
以上のように表示制御部１３０によって、検索結果の表示画面の構成要素に含まれる単語をうち、音声認識可能な単語が他の単語と異なる態様（フォント、字体）で表示されるよう表示内容が制御される。そして、表示制御部１３０によって制御された内容の表示画面が表示部１４０に表示される。ここで、図１１に表示部１４０の表示内容の一例を示す。同図に示すように、テレビ番組の検索結果表示画面中の単語のうち、認識辞書１６０に格納されている単語、つまり音声認識可能な単語（「ＮＢＳ」、「ＳＢＳ」といった放送局名、「ドラマ」といったジャンル名、「しん」や「黄門様」といった番組名等の単語）がボールド化され、かつ２サイズ大きいフォントで強調表示される。
【００６１】
以上説明したように本実施の形態では、ユーザが処理要求をなすと、要求処理部１２０によって当該要求が処理され、その処理結果（上記例では、テレビ番組の検索結果）が表示部１４０に表示される。そして、このような表示画面に含まれる単語のうち、当該音声認識装置１０で認識することが可能な単語を他の単語とは異なる態様で表示することができる（図１１参照）。これにより、当該表示を参照したユーザは、自己の要求に対する結果を知ることができるとともに、音声認識が可能な単語を知ることができる。
【００６２】
したがって、音声認識が可能な単語をユーザに報知するために特別のリストを表示させたり、ヘルプ発話で補助画面を表示させたりする必要がなく、本来必要な情報提供を妨げることなく、音声認識可能な単語をユーザに報知することができる。また、認識可能単語を報知するための特別画面等が不要となるので、画面デザインが大きく損なわれてしまうことも抑制できる。
【００６３】
特に、音声認識に不慣れなユーザや、音声認識が搭載された機器そのものをほとんど利用したことのないユーザにとっては、画面を見ても何を言えば対象の機器が動作するのかが分からず困惑することが多い。本実施の形態では、認識可能な単語を他と異なる態様で表示（強調表示）してユーザに提示される。また、何らかの表示画面が表示される際には、上記のようにその表示画面に含まれる単語のうち、音声認識可能な単語が強調表示されて定時される、つまり当該音声認識装置の利用中は認識可能な単語が一貫して強調表示されるので、認識単語を調べるためにマニュアルを読み直すといった無駄な作業が軽減される。さらには、未知語の入力によって起こる誤動作を軽減できる可能性が高いなど多大な効果が期待できる。
【００６４】
（第２の実施の形態）
次に、本発明の第２の実施の形態について説明する。図１２は、本発明の第２の実施の形態にかかる音声認識装置２０の構成を示すブロック図である。同図に示すように、第２の実施の形態における音声認識装置２０は、上記第１の実施の形態における音声認識装置１０の構成に加え、読み方頻度管理部２１０と、表示読み方決定部２２０と、読み履歴記憶部２３０とを備えており、また認識辞書１６０に代えて認識辞書２６０、規則適用単語テーブル１７０に代えて規則適用単語テーブル２７０を備える点で第１の実施の形態と相違している。なお、第２の実施の形態において、第１の実施の形態と共通する構成要素には同一の符号をつけてその説明を省略する。
【００６５】
本実施の形態における認識辞書２６０は、１つの認識対象単語に複数の読み方が対応つけられている。ここで、図１３に認識辞書２６０に格納されるデータの一例を示す。同図に示すように、認識辞書２６０には、１つの認識対象単語「月曜ヒステリー劇場「告発弁護人シリーズ・猪熊文明５」」について、３つの読み方「げつようひすてりーげきじょう」、「こくはつべんごにんしりーず」、「いのくまふみあきふぁいぶ」が対応つけられている。かかる認識辞書２６０を参照する音声認識部１１０は、ユーザによって上記３つの読み方のいずれで発声された場合にも、「月曜ヒステリー劇場「告発弁護人シリーズ・猪熊文明５」」という認識対象単語を認識することができる。
【００６６】
読み方頻度管理部２１０には、音声認識部１１０によって認識された結果が供給される。読み方頻度管理部２１０は、音声認識部１１０の認識結果に含まれる単語（図２の認識対象単語）と、その認識の際にユーザが発声した読み方との組み合わせとを読み履歴記憶部２３０に加算する形で更新する。つまり、本実施の形態では、上記のように１つの認識対象単語について複数の読み方が対応つけられており、上記のような組み合わせ出現頻度を管理することで、認識対象単語を認識させるためにユーザが最も多く利用した読み方を把握することができる。
【００６７】
読み履歴記憶部２３０には、上記のように読み方頻度管理部２１０によって管理される認識対象単語と読み方との組み合わせが出現した頻度が記憶されている。ここで、読み履歴記憶部２３０の記憶内容の一例を図１４に示す。同図に示すように、読み履歴記憶部２３０は、認識対象単語と読み方との組み合わせ、およびその頻度に加え、読み方対応文字列といった情報が対応つけて格納されている。ここで、読み方対応文字列とは、読み方に対応する区間の文字列である。
【００６８】
音声認識部１１０によって音声認識がなされた場合、その認識内容に応じて以上のような読み履歴記憶部２３０の頻度が上記読み方頻度管理部２１０によって更新される。例えば、図示のような記憶がなされている状態において、ユーザが「にほんまるみえ」と発声し、当該発声に応じて「日本丸見え！テレビ特派員」という認識対象単語が認識された場合、読み方「にほんまるみえ」に対応する頻度が「５」から「６」に更新されるのである。
【００６９】
表示読み方決定部２２０は、読み履歴記憶部２３０に記憶された内容を参照し、規則適用単語テーブル２７０に登録された単語のうち、複数の読み方を有する単語に対して、規則適用対象文字列をあらかじめ決められた基準にしたがって書き込む処理を行う。なお、規則適用単語テーブル２７０の認識対象単語および読み方は、上記第１の実施の形態と同様の手順で規則適用単語決定部１３１によって登録されている。
【００７０】
ここで、本実施の形態における規則適用単語テーブル２７０の登録内容の一例を図１５に示す。同図に示すように、第２の実施の形態における規則適用単語テーブル２７０は、上記第１の実施の形態のテーブル内容（図４参照）に加え、規則対象文字列という項目が追加されたものとなっており、表示読み方決定部２２０は当該項目にあらかじめ決められた基準にしたがって決定される規則対象文字列を書き込む処理を行うのである。
【００７１】
本実施の形態では、規則適用単語テーブル２７０に登録された複数の読み方を有する単語（例えば、「日本丸見え！テレビ特派員」）について、読み履歴記憶部２３０を参照し、最も頻度の多い読み方（「にほんまるみえ」）に対応する文字列（「日本まる見え」）を、規則対象文字列に書き込む処理を行うのである。
【００７２】
第２の実施の形態における表示態様決定部１３２は、上記のように書き換えられた単語後が登録された規則適用単語テーブル２７０を参照し、上記第１の実施の形態と同様、表示規則記憶部１８０に記憶された表示規則に基づいて表示態様を決定する。
【００７３】
なお、第２の実施の形態における要求処理用情報記憶部１９０には、上記第１の実施の形態と同様、テレビ番組を検索するための番組データベースが格納されており、その内容の一例を図１６に示す。同図に示すように、この番組データベースには、上記第１の実施の形態と同様、ＩＤ、番組名、放送日時、放送局、ジャンルおよび出演者といったテレビ番組に関する項目の情報が含まれており、上記のように複数の読み方を有する認識対象単語（「月曜ヒステリー劇場「告発弁護人シリーズ・猪熊文明５」」など）も含まれている。
【００７４】
以上が第２の実施の形態にかかる音声認識装置２０の構成であり、以下当該音声認識装置２０の動作について具体例を挙げながら説明する。ここでは、要求処理部１２０がユーザからの音声入力によるテレビ番組検索要求、例えばジャンルや出演者を指定した番組検索要求に対する処理を行い、その処理結果であるテレビ番組検索結果を表示部１４０に表示する場合を例に挙げて説明する。
【００７５】
まず、ユーザが音声入力部１００に向けて、所望の検索のための情報、つまり所望番組のジャンル、出演者、チャンネル、放送時刻、番組名等の情報を発声する。ここでは、複数の読み方を有する認識対象単語「月曜ヒステリー劇場  告発弁護人シリーズ・猪熊文明５」を認識させるために「げつようひすてりーげきじょう」といった発声をしたものとする。
【００７６】
この場合、音声認識部１１０によって「月曜ヒステリー劇場  告発弁護人シリーズ・猪熊文明５」が認識され、検索条件文言として要求処理部１２０に供給される。要求処理部１２０は、かかる検索条件文言にしたがって検索処理を行う。
【００７７】
音声認識部１１０によって上記のような音声認識がなされた場合、読み方頻度管理部２１０は、かかる認識結果に応じて読み履歴記憶部２３０の記憶内容を更新する。このように音声認識部１１０によって音声認識がなされた場合における読み方頻度管理部２１０の処理について図１７を参照しながら説明する。
【００７８】
まず、音声認識部１１０による最初の単語の認識結果、つまり認識対象単語とその認識の際になされた読み方を取得する（ステップＳ４０１）。ここでは、認識対象単語である「月曜ヒステリー劇場  告発弁護人シリーズ・猪熊文明５」と、その際の読み方「げつようひすてりーげきじょう」を取得する。
【００７９】
次に、取得した認識結果である認識対象単語と読み方の組み合わせ、つまり「月曜ヒステリー劇場  告発弁護人シリーズ・猪熊文明５」と「げつようひすてりーげきじょう」との組合せ頻度が以前に何回出現していたかを示す情報を読み履歴記憶部２３０（図１４参照）から取得する（ステップＳ４０２）。
【００８０】
そして、取得した頻度に１を加算し、加算後の値を上記組み合わせに対応する頻度に上書きし、読み履歴記憶部２３０の記憶内容を更新する（ステップＳ４０３）。図１４に示すような状態である場合には、認識対象単語と読み方「げつようひすてりーげきじょう」の組み合わせに対応する頻度「１」が取得され、これに１が加算されることで、頻度が「２」に更新される。
【００８１】
このように更新が行われると、音声認識部１１０の認識結果に含まれる単語すべてについて上記のような処理を行ったか否かを判別し（ステップＳ４０４）、すべての単語について処理済であれば当該処理を終了する。一方、すべての単語について処理を行っていない場合には、音声認識部１１０の認識結果に含まれる次の認識対象単語と読み方の組み合わせを取得し（ステップＳ４０５）、当該組み合わせについてステップＳ４０２以降の処理を行う。上記例の場合、ユーザは「げつようひすてりーげきじょう」という言葉を発したのみであるため、認識対象単語は１つであり、上記ステップＳ４０４の判別は「Ｙｅｓ」となり、読み方頻度管理部２１０の処理は終了することになる。
【００８２】
また、上記のような音声認識部１１０による認識結果は要求処理部１２０に供給され、上記第１の実施の形態と同様、認識結果に含まれる要求に応じた処理結果を表示するための構成要素を表示制御部１３０に出力する。これを受けた規則適用単語決定部１３１は、上記第１の実施の形態と同様、表示画面の構成要素に含まれる単語を、適用フラグとともに規則適用単語テーブル２７０に登録する。
【００８３】
第２の実施の形態では、第１の実施の形態と異なり、表示読み方決定部２２０が上記のように規則適用単語テーブル２７０に登録された単語について、規則対象文字列を書き込む処理を行う。このような表示読み方決定部２２０による処理について図１８を参照しながら説明する。ここで、要求処理部１２０によって図１９に示すような処理結果を表示するための構成要素が作成され、その結果規則適用単語テーブル２７０に図１５に示すような登録がなされた場合を例に挙げて説明する。
【００８４】
まず、表示読み方決定部２２０は、規則適用単語テーブル２７０に格納された最初の単語である「２件」を取得する（ステップＳ５０１）。そして、規則適用単語テーブル２７０における取得単語に対応する規則適用対象文字列の項目に、その単語全部（「２件」）をそのまま仮登録する（ステップＳ５０２）。
【００８５】
そして、読み履歴記憶部２３０に記憶されている最初の認識対象単語（図１４に示す例では「日本まる見え！テレビ特派員」）を取得し（ステップＳ５０３）、規則適用単語テーブル２７０から取得した単語（「２件」）と比較し、両者が一致するか否かを判別する（ステップＳ５０４）。
【００８６】
「２件」と「日本まる見え！テレビ特派員」のように両者が一致しない場合には、読み履歴記憶部２３０に記憶されたすべての単語について比較をなしたか否かを判別し（ステップＳ５０５）、全単語との比較が済んでいない場合には、読み履歴記憶部２３０に記憶されている次の単語を取得し（ステップＳ５０６）、ステップＳ５０４以降の処理を行う。
【００８７】
一方、ステップＳ５０４の判別において両単語が一致する場合、読み履歴記憶部２３０に記憶されている当該単語についての複数の読み方とそれぞれの読み方（および読み方対応文字列）に対応する頻度を参照し、その単語について最も頻度の値が大きい読み方に対応する読み方対応文字列を取得し、規則適用単語テーブル２７０の規則適用対象文字列に格納する（ステップＳ５０７）。上記例では、単語「日本まる見え！テレビ特派員」の複数の読み方のうち、最も頻度の値（５回）が大きい読み方「にほんまるみえ」に対応する読み方対応文字列「日本まる見え」が取得され、規則適用単語テーブル２７０の単語「日本まる見え！テレビ特派員」に対応する規則適用対象文字列に格納される。
【００８８】
以上のように規則対象文字列に頻度の高い読み方に対応する文字列を格納した場合、もしくはステップＳ５０５において読み履歴記憶部２３０に記憶されているすべての単語と比較済みである場合には、規則適用単語テーブル２７０に登録されている単語について上記のような規則適用対象文字列の格納等の処理を行ったか否かを判別し（ステップＳ５０８）、すべての単語について処理済の場合には当該処理を終了する。一方、規則適用単語テーブル２７０に登録されている単語すべてについて処理を行っていない場合には、規則適用単語テーブル２７０から次の単語を取得し（ステップＳ５０９）、ステップＳ５０２以降の処理を行う。
【００８９】
このようにして規則適用単語テーブル２７０に登録されているすべての単語について規則適用対象文字列への文字列の書き込み等の処理が行われる。このような表示読み方決定部２２０による処理後の規則適用単語テーブル２７０の登録内容の一例を図２０に示す。同図に示すように、認識辞書２６０に登録されていない単語「２件」等については、規則適用対象文字列は仮登録された「２件」のままであるのに対し、複数の読み方が認識辞書１６０に登録された単語「日本まる見え！テレビ特派員」については、認識可能な読み方のうち最も頻度の高い読み方に対応する文字列「日本まる見え」が規則適用対象文字列として登録される。なお、「スーパーテレビ・情報最前列」も複数の読み方を有する単語であるが、図示の例では最も頻度の高い読み方が「すーぱーてれびじょうほうさいぜんれつ」という単語全体に対応する読み方であった場合を示しており、当該読み方に対応する文字列、つまり単語全部が登録されている。
【００９０】
以上のように規則適用単語テーブル２７０に単語、規則適用文字列および適用フラグが登録されると、表示態様決定部１３２は、登録処理後の規則適用単語テーブル２７０を参照して、要求処理部１２０から供給された表示画面の構成要素中の各単語の表示態様を決定する処理を行う。かかる処理の詳細について図２１を参照しながら説明する。
【００９１】
なお、この説明においては、表示規則記憶部１８０に図２２に示すような規則等が格納されている場合を例に挙げて説明する。つまり、この表示規則記憶部１８０には、適用フラグが「１」の文字列等に対して適用される表示規則に加え、適用フラグが「０」の文字列等に対して適用すべき表示規則が記憶されており、表示態様決定部１３２は、このような表示規則記憶部１８０の記憶される規則にしたがって表示態様を決定する。
【００９２】
表示態様決定部１３２が行う処理は、基本的には上記第１の実施の形態と同様であり（図１０参照）と同様（ステップＳ６０１〜ステップＳ６０２はステップＳ３０１〜ステップＳ３０２に対応、ステップＳ６０４〜ステップＳ６０５はステップＳ３０４〜ステップＳ３０５に対応）であるが、ステップＳ６０３の処理が上記第１の実施の形態と相違している。
【００９３】
すなわち、規則適用単語テーブル２７０に登録されている単語を取得し（ステップＳ６０１、ステップＳ６０５）、当該単語の適用フラグに対応する表示規則を抽出する（ステップＳ６０２）点までは同じであるが、抽出した表示規則を用いて表示態様を決定する文字列が相違する。より具体的には、上記第１の実施の形態では、当該単語の全部分について表示規則にしたがって表示態様を決定するようにしていたが、本実施の形態では規則適用単語テーブル２７０に格納された規則適用対象文字列について表示規則にしたがって表示態様を決定し、修正する（ステップＳ６０３）。
【００９４】
例えば、図２３に示すように、規則適用単語テーブル２７０から取り出した単語が「日本まる見え！テレビ特派員」の場合、適用フラグが「１」であり、規則適用対象文字列が「日本まる見え！」であるため、適用フラグ「１」に対応する表示規則、つまり認識辞書２６０に登録された単語に適用される表示規則に従って「日本まる見え！」の部分のみのフォントサイズが２つ大きくなされ、かつボールド化される。一方、取り出した「２件」の場合、適用フラグ「０」であり、規則適用対象文字列が単語の全部である「２件」であるので、認識辞書２６０に登録された単語用の表示規則は適用されず、それ以外の単語に適用される規則が適用される。したがって、フォントサイズが２つ小さく表示される。
【００９５】
また、取得された単語が「スーパーテレビ・情報最前列」の場合、適用フラグは「１」であるので、認識辞書２６０に登録された単語用の表示規則が適用されるが、規則適用対象文字列が単語の全部分「スーパーテレビ・情報最前列」であるので、結果としては上記第１の実施の形態と同様、単語全体のフォントサイズが２つ大きく、かつボールド化されて表示される。
【００９６】
以上説明したように本実施の形態では、ユーザが処理要求をなすと、要求処理部１２０によって当該要求が処理され、その処理結果（上記例では、テレビ番組の検索結果）が表示部１４０に表示される。そして、このような表示画面に含まれる単語のうち、当該音声認識装置２０で認識することが可能な単語を、その単語を認識させるために必要な文字列を他の文字等とは異なる態様で表示することができる（図２３参照）。これにより、当該表示を参照したユーザは、自己の要求に対する結果を知ることができるとともに、音声認識が可能な単語を知ることができるとともに、どのような読み方をすればその単語を認識させることができるかを知ることができる。
【００９７】
したがって、上記第１の実施の形態と同様、本来必要な情報の提供を妨げえることなく、かつ画面デザインが大きく損なわれしまうことを抑制しつつ、ユーザに認識可能な単語を報知することができ、さらにその単語を認識させるのに必要な読み方を報知することができる。
【００９８】
さらに、本実施の形態では、認識可能な単語を認識させるのに必要な単語の読み方として、ユーザが最も多く利用した読み方に対応する文字列が他と異なる態様で表示されるので、最も利用しやすいと考えられる読み方をユーザに伝えることもできる。すなわち、ユーザによって読み方に違いがある場合に、単語全体だけではなく必要な部分のみを強調することで、認識可能な単語を他の認識対象外の単語と区別してよりわかりやすく表示できる。また、番組名のように単語自体が長い場合、全部を発声するのは煩雑であり、特に長い単語を何度も発声しなくてはならないと面倒である。そこで、本実施の形態のように、部分文字列の発声により全体の単語を認識できるようにするとともに、その部分的な読み方を報知することで、長い単語を何度も認識させる必要があるような場合に特に好適である。
【００９９】
（第３の実施の形態）
次に、本発明の第３の実施の形態について説明する。図２４は、本発明の第３の実施の形態にかかる音声認識装置３０の構成を示すブロック図である。同図に示すように、第３の実施の形態における音声認識装置３０は、上記第１の実施の形態における音声認識装置１０の構成に加え、単語重要度決定部３１０と、単語重要度記憶部３２０と、重要度決定規則記憶部３３０とを備え、第１の実施の形態における表示規則記憶部１８０に代えて表示規則記憶部３８０を備えている。なお、第３の実施の形態において、第１の実施の形態と共通する構成要素には同一の符号をつけてその説明を省略する。
【０１００】
単語重要度決定部３１０には、ユーザからの要求に対応する要求処理部１２０の処理結果が供給される。単語重要度決定部３１０は、重要度決定規則記憶部３３０に記憶されている重要度決定規則にしたがい、処理結果の表示画面の構成要素に含まれる単語について重要度を決定し、これを単語重要度記憶部３２０に記憶させる。単語重要度決定部３１０は、このような重要度決定の際に必要であれば、要求処理用情報記憶部１９０に格納されている情報や要求処理部１２０が過去に行った処理内容等を参照する。
【０１０１】
重要度決定規則記憶部３３０には、上記のように単語の重要度を決定するための規則が格納されている。ここで、図２５は重要度決定規則記憶部３３０に格納される規則の一例を示す。同図に示すように、重要度決定規則は、重要度の値と、それに対応する規則内容とを含んでいる。
【０１０２】
図示の例は、テレビ番組をジャンル等をキーワードとして検索する処理を要求処理部１２０が行う場合の規則の一例であり、重要度決定の対象となる単語の属性が、すでに入力済みの属性であれば、重要度が２０に決定されるという規則や、対象となる単語の属性が、直前にジャンル属性が入力された場合のサブジャンル属性であれば重要度が８０に決定されるという規則である。
【０１０３】
例えば、重要度決定の対象となる単語が、テレビ番組の検索キーワード「スポーツ」であった場合に、それ以前に同一の「スポーツ」という単語が要求処理部１２０に入力されている場合、再度同じ単語が入力されるケースは少ないと考えられるので、このような単語については重要度が低く決定される。一方、直前に検索キーワードとしてあるジャンル名「スポーツ」などが入力された場合、その下位概念のジャンルであるサブジャンル例えば「野球」、「サッカー」などは検索キーワードとして入力される可能性が高い。したがって、このような属性の単語である場合には、その単語の重要度は高く決定される。
【０１０４】
以上のように重要度決定規則としては、過去の入力内容等をも考慮し、要求処理部１２０が処理を行うにあたって、ユーザから入力される可能性の大小等に応じてあらかじめ類型化された単語の属性などの規則内容と、それに対応する重要度が対応つけられたものとなっており、このような規則を用いて単語の重要度を決定することで、その時々の状況に応じて次に入力される可能性が大きい単語については重要度を高く、入力可能性の低い単語については重要度を低くといった重要度決定が可能となる。
【０１０５】
このような重要度規則にしたがって決定された重要度が単語重要度記憶部３２０に記憶される。ここで、図２６に単語重要度記憶部３２０の記憶内容の一例を示す。同図に示すように、単語重要度記憶部３２０には、上記のような重要度規則を参照することで単語重要度決定部３１０により決定された各単語の重要度が、各単語に対応つけて格納される。
【０１０６】
本実施の形態における表示態様決定部１３２は、上記第１の実施の形態と同様、規則適用単語決定部１３１により規則適用単語テーブル１７０に登録された単語について、表示規則記憶部３８０に記憶された表示規則および単語重要度記憶部３２０記憶された単語重要度に基づいて表示態様を決定する。
【０１０７】
ここで、本実施の形態における表示規則記憶部３８０に記憶される内容の一例を図２７に示す。同図に示すように、表示規則記憶部３８０には、４つの規則が記憶されている。まず、１つ目の規則は、認識辞書１６０に登録されていない単語（適用フラグ「０」）に用いられる規則であり、当該単語についてはフォントを２つ小さくする旨が規定されている。
【０１０８】
他の３つの規則は、認識辞書１６０に登録されている単語（適用フラグ「１」）について適用される表示規則であり、重要度の範囲に応じて３種類の規則が規定されている。重要度が５０以上８０未満の場合には、フォントを２つ大きくし、かつボールド化して表示する旨が、重要度が８０以上の場合にはフォントを４つ大きくし、かつボールド化して表示する旨が規定されている。また、重要度が５０未満の場合には、「なし」、つまり通常の状態と変更しない旨が規定されている。このように本実施の形態では、重要度が大きいほど、より強調された表示がなされるような規則が設定されている。
【０１０９】
本実施の形態における表示態様決定部１３２は、このような表示規則記憶部３８０に記憶された規則にしたがい、要求処理部１２０の処理結果を表示する画面の構成要素に含まれる単語について表示態様の修正等を行う。このように認識辞書１６０に登録されている単語について重要度に応じて表示態様が修正等された単語等を含む要求処理部１２０の処理結果を示すための画像が表示部１４０に表示される。
【０１１０】
以上が第３の実施の形態にかかる音声認識装置３０の構成であり、以下当該音声認識装置３０の動作について具体例を挙げながら説明する。ここでは、要求処理部１２０がユーザからの音声入力によるテレビ番組検索要求、例えばジャンルや出演者を指定した番組検索要求に対する処理を行い、その処理結果であるテレビ番組検索結果を表示部１４０に表示する場合を例に挙げて説明する。
【０１１１】
まず、ユーザが音声入力部１００に向けて、所望の検索のための情報、つまり所望番組のジャンル、出演者、チャンネル、放送時刻、番組名等の情報を発声する。ここでは、検索キーワードとしてジャンル「今日のスポーツ」を認識させるために「きょうのすぽーつ」といった発声をしたものとする。
【０１１２】
この場合、音声認識部１１０によって「今日のスポーツ」が認識され、検索キーワードとして要求処理部１２０に供給される。要求処理部１２０は、かかる検索キーワードにしたがって検索処理を行い、その結果、例えば図２８に示すような処理結果を表示すべき画面の構成要素が作成される。
【０１１３】
なお、本実施の形態における要求処理部１２０は、上位概念のジャンル、例えば「スポーツ」と、上位概念のジャンルに属する下位概念のサブジャンル、例えばジャンル「スポーツ」のサブジャンル「野球」などといった複数階層のジャンルを検索キーワードとして検索できるようになっている。したがって、本実施の形態における要求処理部１２０は、図２９に示すように、第１の実施の形態のテンプレート（図７参照）とは異なる表示画面の構成要素のテンプレートを保持しており、かかるテンプレートを利用して表示画面の構成要素を生成する。
【０１１４】
同図に示すように、かかるテンプレートは、上記第１の実施の形態のテンプレートの各項目に加え、「サブジャンル」を配置すべき領域が設けられている。したがって、図２８に示すように、テンプレートの「ジャンル」項目には、上位概念のジャンルである「スポーツ」が当てはめられ、「サブジャンル」にはその下位概念のジャンルである「野球」や「サッカー」が当てはめられることで、表示画面が構成される。
【０１１５】
このような要求処理部１２０による処理結果は単語重要度決定部３１０にも供給されるとともに、要求処理部１２０から過去の処理内容等（既に番組検索クエリとしてジャンル属性、日付属性の値が決定済であるなど）の情報が供給される。単語重要度決定部３１０は、処理結果に含まれる単語について重要度を決定する処理を行うが、かかる処理の内容について図３０を参照しながら説明する。
【０１１６】
まず、要求処理部１２０によって作成された処理結果表示画面の構成要素に含まれる単語であり、かつ認識辞書１６０に登録されている単語の中から最初の単語を取得する（ステップＳ７０１）。例えば、認識辞書１６０に図３１に示すような内容が登録されており、表示画面が図２８に示すようなものであれば、「Ｊリーグ鹿島×東京」が取得される。
【０１１７】
次に、単語重要度記憶部３２０に取得した単語を登録するとともに、取得した単語に対応する重要度を初期化する（ステップＳ７０２）。この後、重要度決定規則記憶部３３０に記憶されている複数の規則内容（図２５参照）の中から最初の規則内容を取得し（ステップＳ７０３）、取得した単語が取得した規則内容を満たすか否かを判別する（ステップＳ７０４）。
【０１１８】
ここで、取得した単語が取得した規則内容を満たさない場合、重要度決定規則記憶部３３０に記憶されているすべての規則内容について判断を行ったか否かを判別し（ステップＳ７０５）、すべての規則内容について判断していない場合には、重要度決定規則記憶部３３０に格納されている次の規則内容を取得し（ステップＳ７０６）、規則内容を満たすか否かの判別を行う（ステップＳ７０４）。
【０１１９】
一方、取得された単語が取得された規則内容を満たす場合には、重要度決定の対象となる単語の重要度をその規則内容に対応する重要度の値に決定し、それを単語重要度記憶部３２０に格納する（ステップＳ７０７）。例えば、対象単語がすでに要求処理部１２０に入力済みの属性値、つまり同じ単語が入力済みである場合には重要度２０に対応する規則内容を満たしているので、当該単語については重要度が「２０」に決定され、単語重要度記憶部３２０に重要度「２０」が格納される。また、「Ｊリーグ鹿島×東京」が対象単語となっている場合、かかる単語の属性は番組名であり、ジャンル属性や日付属性ではないので、規則内容を満たさないと判断される。
【０１２０】
このように単語の重要度が決定されて単語重要度記憶部３２０に格納された場合、もしくはステップＳ７０５においてある単語についてすべての規則内容を満たすか否かの判断を終了したと判別された場合、認識辞書１６０に登録される単語であり、かつ表示画面の構成要素に含まれる単語のすべてについて重要度決定等の処理が終了したか否かを判別する（ステップＳ７０８）。
【０１２１】
ここで、すべての単語について処理が終了した場合には単語重要度決定部３１０による処理は終了する。一方、すべての単語について処理が終了していない場合には、表示画面の構成要素に含まれる単語であり、かつ認識辞書１６０に登録されている単語で未処理の単語を取得し（ステップＳ７０９）、当該単語についてステップＳ７０２以降の処理を行う。このようにして表示画面の構成要素に含まれ、かつ認識辞書１６０に登録される単語のすべてについて重要度決定処理が行われ、その結果が単語重要度記憶部３２０に格納される。
【０１２２】
以上のように単語の重要度が決定されて単語重要度記憶部３２０に格納され、さらに上記第１の実施の形態と同様、規則適用単語決定部１３１により規則適用単語テーブル１７０に単語および適用フラグが登録されると、表示態様決定部１３２は、登録処理後の規則適用単語テーブル１７０、単語重要度記憶部３２０および表示規則記憶部３８０の記憶内容を参照して、要求処理部１２０から供給された表示画面の構成要素中の各単語の表示態様を決定する処理を行う。かかる処理の詳細について図３２を参照しながら説明する。なお、ここでは、規則適用単語決定部１３１により、規則適用単語テーブル１７０に図３３に示すような単語等が登録されている場合を例に挙げて説明する。
【０１２３】
まず、規則適用単語テーブル１７０に登録されている最初の単語を取得し（ステップＳ８０１）、当該取得した単語の適用フラグ、および当該単語について単語重要度記憶部３２０に記憶されている重要度に基づいて、表示規則記憶部３８０（図２７参照）から表示規則を抽出する（ステップＳ８０２）。例えば、最初の単語「３件」の適用フラグは「０」であるため、適用フラグ「０」に対応する表示規則が抽出される。なお、取得された単語が「Ｊリーグ鹿島×東京」の場合、適用フラグ「１」、単語重要度「５０」であるので、適用フラグ「１」、重要度範囲「５０以上８０未満」に対応する表示規則が抽出される。
【０１２４】
このように表示規則を抽出すると、当該単語について抽出した表示規則にしたがった表示態様の修正を行う（ステップＳ８０３）。対象単語が「３件」である場合、フォントを２つ小さくして表示するといった修正が行われ、また対象単語が「Ｊリーグ鹿島×東京」である場合には、フォントを２つ大きくし、かつボールド化して表示されるよう表示態様が修正される。
【０１２５】
以上のように表示規則にしたがった修正（修正なしの場合もあり）がなされると、規則適用単語テーブル１７０に登録されているすべての単語について上記表示規則に従った修正処理をなしたか否かを判別する（ステップＳ８０４）。そして、すべての登録単語について処理が終了していない場合には、規則適用単語テーブル１７０から次の単語を取得し（ステップＳ８０５）、ステップＳ８０２以降の処理を行う。
【０１２６】
一方、すべての登録単語について処理が終了した場合には、当該表示態様決定処理を終了する。このような処理を行うことで、要求処理部１２０の検索結果を表示すべき内容、つまり表示画面の構成要素に含まれる単語のうち、認識辞書１６０に格納されている単語については、重要度に応じて表示態様の修正処理がなされる。
【０１２７】
以上のように表示制御部１３０によって、検索結果の表示画面の構成要素に含まれる単語をうち、音声認識可能な単語が他の単語と異なる態様であり、また重要度に応じた態様（フォント、字体等）で表示されるよう表示内容が制御される。そして、表示制御部１３０によって制御された内容の表示画面が表示部１４０に表示される。ここで、図３４に表示部１４０の表示内容の一例を示す。同図に示すように、テレビ番組の検索結果表示画面中の単語のうち、認識辞書１６０に格納されている単語、つまり音声認識可能な単語であり、かつ重要度の高いサブジャンル「野球」や「サッカー」等（フォントサイズ４つ大きく）が最も大きく表示され、次に「Ｊリーグ鹿島×東京」等（フォントサイズ２つ大きく）の番組名が大きく表示される。
【０１２８】
以上説明したように本実施の形態では、ユーザが処理要求をなすと、要求処理部１２０によって当該要求が処理され、その処理結果（上記例では、テレビ番組の検索結果）が表示部１４０に表示される。そして、このような表示画面に含まれる単語のうち、当該音声認識装置３０で認識することが可能な単語を他の単語とは異なる態様で表示することができる（図３４参照）。これにより、当該表示を参照したユーザは、自己の要求に対する結果を知ることができるとともに、音声認識が可能な単語を知ることができる。
【０１２９】
さらに本実施の形態では、単語の重要度が決定され、重要度に応じた態様、つまり重要度が大きいほど強調された形で表示されるので、重要度の高い認識可能な単語をユーザにより確実に報知することができる。
【０１３０】
また、本実施の形態では、重要度はすでに当該装置に入力された内容等を考慮し、あらかじめ種々のケースごとに次に入力される可能性が高いものの重要度が高く設定されるようになっているので、ある処理を実行する際に次に入力が必要となる可能性が高いものを強調して表示し、ユーザに報知することができる。逆に、入力される可能性が低いものについては強調表示がなされないので、より入力が必要となる可能性が高い単語をユーザに強く印象付けることができる。本実施の形態では、検索処理の際の入力可能性の大小（重要度の大小）を、直前等に入力されたキーワードの属性等などに応じて判定することで、検索処理を効率的に行うための重要度設定をなしうる。
【０１３１】
上記のように番組検索処理を例に考えると、前回発声して既に検索クエリに含まれる属性は、認識できるが番組を絞り込むという目的に対しては効果を及ぼさないので強調表示しなくてもよいから、重要度が低くなり、その結果表示態様も強調されない。また、スポーツといった上位ジャンルで検索された番組群はサブジャンルによって効果的に絞込みができるから、当該上位ジャンルのサブジャンルに属する単語の重要度を高く設定することで、処理目的達成のために効率的な認識対象単語がより強調されて表示される。このような表示をなすことで、素早く認識対象単語を見つけて検索することができ、要求した処理目的を効率的に達成することができる。
【０１３２】
（変形例）
なお、本発明は、上述した各実施の形態に限定されるものではなく、以下に例示するような種々の変形が可能である。
【０１３３】
（変形例１）
上述した第１の実施の形態においては、表示規則記憶部１８０には、認識辞書１６０に登録された単語に適用される表示規則は１種類であったが、登録された単語に適用する規則を複数種類用意するようにしてもよい。例えば、操作コマンド用単語と番組属性単語を異なる形態で表示するような規則を設け、これらの単語の表示態様を異ならせるようにしてもよい。
【０１３４】
（変形例２）
また、上述した各実施の形態では、表示規則として、フォントの大小、ボールド化といったことを規定するようにしていたが、異なる態様で表示させることができればよく、例えば斜体表示、網掛け表示等を用いるようにしてもよい。さらには、配色を設定したり、認識単語が表示されているオブジェクト(ボタンなど)の大きさそのものを変更するなど他と区別される表示態様であればいかなるものでもよい。
【０１３５】
（変形例３）
また、上述した第２の実施の形態では、表示読み方決定部２２０が、認識対象単語を認識させる際にユーザが過去に最も多く利用した読み方（頻度が最も高い読み方）に決定するという基準で、表示態様を異ならせる（表示規則にしたがって表示態様を決定する）文字列を決めていたが、これ以外の基準で表示態様を異ならせるようにしてもよい。
【０１３６】
例えば、認識対象単語の前方側の文字列を読み方として決定するようにしてもよい。具体的には、認識対象単語が「月曜ヒステリー劇場「告発弁護人シリーズ・猪熊文明５」」の場合、３つの読み方「げつようひすてりーげきじょう」、「こくはつべんごにんしりーず」、「いのくまふみあきふぁいぶ」のうち、前方側の文字列のみから構成される読み方「げつようひすてりーげきじょう」を選択するようにしてもよい。
【０１３７】
また、認識対象単語の文字数があらかじめ決められた数より多い（例えば１０文字以上）場合にのみ、単語全部以外の部分的な文字列を表示を異ならせる文字列として選択するようにしてもよく、この場合当該認識対象単語の複数の読み方のうち、最も短い文字列を選択するといったような基準で規則適用対象文字列を決定するようにしてもよい。
【０１３８】
（変形例４）
また、上記第２の実施の形態や変形例３のように複数の読み方がある場合にいずれか１つの読み方に絞り、絞った文字列についてのみ表示態様を異ならせるのではなく、複数の読み方がある場合に２つ以上の読み方をユーザに報知できるような態様で表示させるようにしてもよい。
【０１３９】
例えば、上記のように３つの読み方で認識が可能な単語「月曜ヒステリー劇場「告発弁護人シリーズ・猪熊文明５」」を表示する場合には、図３５に示すように、可能な読み方を認識対象単語の文字列の上下部分に枠４０１で範囲指定するといったようにすればよい。また、これらの３つの読み方の表示色を異ならせるといった手法を用いることができ、例えば認識辞書１６０に登録されていない単語が黒色で表示されている場合においては、「月曜ヒステリー劇場」を赤色、「告発弁護人シリーズ」を緑色、「猪熊文明５」を黄色で表示するといったようにしてもよい。
【０１４０】
また、上記第２の実施の形態では、当該装置のユーザの過去の読み方の頻度に基づいて表示態様を異ならせる文字列を決定するようにしていたが、他の装置のユーザの過去の読み方頻度等を利用して表示態様を異ならせる文字列を決定するようにしてもよい。例えば、３つの読み方「げつようひすてりーげきじょう」、「こくはつべんごにんしりーず」、「いのくまふみあきふぁいぶ」のうち、多数のユーザが最も多く利用した読み方が「げつようひすてりーげきじょう」である場合には、これを表示態様を異ならせる文字列として決定するようにすればよい。なお、他の装置のユーザがどのような読み方をしたかといった情報はインターネットなどのネットワークを利用する等して当該装置に供給するようにすればよい。
【０１４１】
（変形例５）
また、上述した各実施の形態では、認識対象単語を認識するための読み方がその単語の全部または一部分に対応するものであったが、認識対象単語の略称を発声することで当該認識対象単語が認識されるようにしてもよい。この場合、認識辞書１６０（２６０）の読み方の欄に、単語全体の読み方に加え、略称の読み方を加えるようにすればよい。例えば、認識対象単語「月曜ヒステリー劇場「告発弁護人シリーズ・猪熊文明５」」が一般的に「げつげき」等と略して称されている場合には、認識辞書１６０（２６０）の読み方に「げつげき」を加えるようにすればよい。
【０１４２】
そして、このような読み方をユーザに報知するため、認識対象単語「月曜ヒステリー劇場「告発弁護人シリーズ・猪熊文明５」」の上または下の部分に、当該単語を認識させるために用いることができる略称「げつげき」と表示させるような表示規則を設けておけばよい。このようにすれば、当該表示規則にしたがって表示態様決定部１３２が認識対象単語「月曜ヒステリー劇場「告発弁護人シリーズ・猪熊文明５」」」の表示態様を修正し、図３６に示すような表示がなされる。
【０１４３】
（変形例６）
また、上述した各実施の形態では、要求処理部１２０がユーザが入力した検索キーワード等に基づいた検索処理を行う構成であったが、要求処理部１２０がユーザの要求に応じて他の処理を行うような装置であっても本発明を適用することができる。例えば、エアコンディショナー装置に搭載される音声認識装置に本発明を適用することができる。
【０１４４】
より具体的には、認識辞書１６０には「運転開始」、「運転停止」、「風量多く」、「設定温度アップ」、「設定温度ダウン」等の単語を登録しておき、ユーザのエアコンディショナー装置に対する要求に対して動作（運転等）を行うとともに、表示パネル等に要求に対する処理結果を表示させる（例えば、運転開始を要求した場合、運転を開始しました等のメッセージを表示させる）際、その画面に含まれる単語のうち、認識可能な単語を表示規則にしたがって他の単語と異なる態様で表示させるようにすればよい。
【０１４５】
また、上記のようなエアコンディショナー装置等に本発明を適用する場合において、第３の実施の形態のように単語の重要度を決定するという機能を持たせるときには、単語の重要度決定に際してその時点でのエアコンディショナー装置の動作状況を重要度決定の一つの要素としてもよい。例えば、運転中であれば、再度「運転開始」という単語が入力される可能性は低いのでその単語は重要度が低く設定されるのに対し、運転中には風量調整や温度調整等に関する単語の重要度が高く設定されるといった具合に動作状況を重要度の決定に反映させるようにしてもよい。
【０１４６】
（変形例７）
また、上記各実施の形態にかかる音声認識装置を、テレビ番組などの動画像を記録するレコーダ装置に搭載するようにしてもよい。ここで、図３７に第１の実施の形態にかかる音声認識装置１０を組み込んだレコーダ装置４００の概略構成例を示す。同図に示すように、このレコーダ装置４００は、上述した構成の音声認識装置１０と、レコーダ部４１０と、チューナー部４２０とを備える。
【０１４７】
チューナー部４２０は、ユーザの指示等にしたがって所定のテレビチャンネルを選択し、選択したチャンネルの動画像を受信する。放送等されるテレビ番組を視聴する際には、かかるチューナー部４２０によって受信された動画像が表示部１４０に供給され、テレビ番組等が表示される。
【０１４８】
レコーダ部４１０は、上記のようにチューナー部４２０によって受信される動画像（テレビ番組等）を記録媒体に記録する。例えば、受信される動画像そのまま記録するのではなく、ＭＰＥＧ（Moving Pictures Experts Group）−２等の圧縮方式により圧縮し、圧縮した動画像データを記録する。なお、記録媒体としては、ＨＤ（Hard Disk）等であってもよいし、過般型の記録媒体（ＤＶＤ−ＲＡＭ（Digital Versatile Disc-RAM）など）であってもよい。
【０１４９】
このような構成のレコーダ装置４００において、ユーザは録画したい番組等の検索をなすことができる。このような検索を行う場合、録画したい番組の属性（ジャンル、名称、放送日時、出演者）に関する文言を発声することで、かかる発声内容が音声認識装置１０により認識され、上記実施の形態で説明したように要求処理部１２０によって発声内容をキーワードとする検索がなされる。
【０１５０】
そして、その検索結果が表示部１４０に表示されるが、その際表示制御部１３０によって音声認識可能な単語が他の文字等と異なる態様（強調された態様）で表示されるので、次に検索のための言葉を音声入力しようとする際にどの単語が入力可能なものであるかを認識することができる。そして、検索内容を発声することでテレビ番組の検索を行わせ、所望の番組が検索された場合には、それに対して録画するよう指示を発声する。これにより要求処理部１２０は、検索された番組を識別する情報を含む録画指示をレコーダ部４１０に送出し、レコーダ部４１０は要求処理部１２０の指示にしたがって録画を行う。
【０１５１】
（変形例８）
また、上述した各実施の形態では、音声認識装置に本発明を適用した場合について説明したが、表示制御部１３０、規則適用単語テーブル１７０、表示規則記憶部１８０を備えた表示制御装置として、音声入力部１００、音声認識部１１０、辞書等を備えた音声認識装置とは分離した態様で製造、販売等して流通させるようにしてもよい。
【０１５２】
（変形例９）
なお、上述した各実施の形態で行われる表示態様の制御処理は、専用のハードウェア回路によって行うようにしてもよいし、ＣＰＵがプログラムにしたがって動作することにより、処理が行われるように構成してもよい。また、コンピュータにこのような処理を実行させるためのプログラムをインターネット等の通信回線を介してユーザに提供するようにしてもよいし、当該プログラムをＣＤ−ＲＯＭ（Compact Disc-Read Only Memory）などのコンピュータ読み取り可能な記録媒体に記録してユーザに提供するようにしてもよい。
【産業上の利用可能性】
【０１５３】
以上のように、本発明にかかる音声認識装置、表示制御装置、レコーダ装置、表示方法およびプログラムは、特に音声認識によって入力されたキーワードについて検索処理を行う機能等を備えた装置に適している。
【図面の簡単な説明】
【０１５４】
【図１】本発明の第１の実施の形態にかかる音声認識装置の構成を示すブロック図である。
【図２】前記音声認識装置の構成要素である認識辞書の登録内容の一例を示す図である。
【図３】前記音声認識装置の構成要素である要求処理用情報記憶部に記憶される番組データベースの一例を示す図である。
【図４】前記音声認識装置の構成要素である規則適用単語テーブルの登録内容の一例を示す図である。
【図５】前記音声認識装置の構成要素である表示規則記憶部に記憶される表示規則の一例を示す図である。
【図６】前記音声認識装置の構成要素である要求処理部の処理手順の一例を示すフローチャートである。
【図７】前記要求処理部が処理結果を表示用の画面を作成する際に利用するテンプレートの一例を示す図である。
【図８】前記要求処理の処理結果を示す表示画面の一例を示す図である。
【図９】前記音声認識装置の構成要素である規則適用単語決定部によって行われる処理の手順を示すフローチャートである。
【図１０】前記音声認識装置の構成要素である表示態様決定部によって行われる処理の手順を示すフローチャートである。
【図１１】前記表示態様決定部によって修正された表示画面の一例を示す図である。
【図１２】本発明の第２の実施の形態にかかる音声認識装置の構成を示すブロック図である。
【図１３】第２の実施の形態における音声認識装置の認識辞書の登録内容の一例を示す図である。
【図１４】第２の実施の形態における音声認識装置の読み履歴記憶部の記憶内容の一例を示す図である。
【図１５】第２の実施の形態における規則適用単語テーブルの登録内容の一例を示す図である。
【図１６】第２の実施の形態における要求処理用情報記憶部に記憶される番組データベースの一例を示す図である。
【図１７】第２の実施の形態における音声認識装置の構成要素である読み方頻度管理部によって行われる処理の手順を示すフローチャートである。
【図１８】第２の実施の形態における音声認識装置の構成要素である表示読み方決定部によって行われる処理の手順を示すフローチャートである。
【図１９】第２の実施の形態における音声認識装置の要求処理部によって作成される表示画面の一例を示す図である。
【図２０】前記表示詠み方決定部によって規則適用対象文字列が書き込まれた前記規則適用単語テーブルの登録内容の一例を示す図である。
【図２１】第２の実施の形態における表示態様決定部によって行われる処理の手順を示すフローチャートである。
【図２２】第２の実施の形態における表示規則記憶部に記憶される表示規則の一例を示す図である。
【図２３】第２の実施の形態における表示態様決定部によって修正された表示画面の一例を示す図である。
【図２４】本発明の第３の実施の形態にかかる音声認識装置の構成を示すブロック図である。
【図２５】第３の実施の形態における音声認識装置の構成要素である重要度決定規則記憶部に記憶される重要度決定規則の一例を示す図である。
【図２６】第３の実施の形態における音声認識装置の構成要素である単語重要度記憶部の記憶内容の一例を示す図である。
【図２７】第３の実施の形態における表示規則記憶部に記憶される表示規則の一例を示す図である。
【図２８】第３の実施の形態における要求処理部によって作成される処理結果を表示するための画面の一例を示す図である。
【図２９】前記要求処理部が表示画面を作成する際に利用するテンプレートの一例を示す図である。
【図３０】第３の実施の形態における音声認識装置の構成要素である単語重要度決定部によって行われる処理の手順を示すフローチャートである。
【図３１】第３の実施の形態における認識辞書の登録内容の一例を示す図である。
【図３２】第３の実施の形態における表示態様決定部によって行われる処理の手順を示すフローチャートである。
【図３３】第３の実施の形態における規則適用単語テーブルの登録内容の一例を示す図である。
【図３４】第３の実施の形態における表示態様決定部により修正された表示画面の一例を示す図である。
【図３５】第２の実施の形態の変形例の表示部に表示される認識辞書に登録された単語の表示態様の一例を示す図である。
【図３６】各実施の形態の変形例の表示部に表示される認識辞書に登録された単語の表示態様の一例を示す図である。
【図３７】第１の実施の形態にかかる音声認識装置を備えたレコーダ装置の構成を示すブロック図である。
【符号の説明】
【０１５５】
１０  音声認識装置
２０  音声認識装置
３０  音声認識装置
１００  音声入力部
１１０  音声認識部
１２０  要求処理部
１３０  表示制御部
１３１  規則適用単語決定部
１３２  表示態様決定部
１４０  表示部
１５０  音響辞書
１６０  認識辞書
１７０  規則適用単語テーブル
１８０  表示規則記憶部
１９０  要求処理用情報記憶部
２１０  読み方頻度管理部
２２０  表示読み方決定部
２３０  読み履歴記憶部
２６０  認識辞書
２７０  規則適用単語テーブル
３１０  単語重要度決定部
３２０  単語重要度記憶部
３３０  重要度決定規則記憶部
３８０  表示規則記憶部
４００  レコーダ装置
４０１  枠
４１０  レコーダ部
４２０  チューナー部
【図１】
2005242183.tif 000003
【図２】
2005242183.tif 000004
【図３】
2005242183.tif 000005
【図４】
2005242183.tif 000006
【図５】
2005242183.tif 000007
【図６】
2005242183.tif 000008
【図７】
2005242183.tif 000009
【図８】
2005242183.tif 000010
【図９】
2005242183.tif 000011
【図１０】
2005242183.tif 000012
【図１１】
2005242183.tif 000013
【図１２】
2005242183.tif 000014
【図１３】
2005242183.tif 000015
【図１４】
2005242183.tif 000016
【図１５】
2005242183.tif 000017
【図１６】
2005242183.tif 000018
【図１７】
2005242183.tif 000019
【図１８】
2005242183.tif 000020
【図１９】
2005242183.tif 000021
【図２０】
2005242183.tif 000022
【図２１】
2005242183.tif 000023
【図２２】
2005242183.tif 000024
【図２３】
2005242183.tif 000025
【図２４】
2005242183.tif 000026
【図２５】
2005242183.tif 000027
【図２６】
2005242183.tif 000028
【図２７】
2005242183.tif 000029
【図２８】
2005242183.tif 000030
【図２９】
2005242183.tif 000031
【図３０】
2005242183.tif 000032
【図３１】
2005242183.tif 000033
【図３２】
2005242183.tif 000034
【図３３】
2005242183.tif 000035
【図３４】
2005242183.tif 000036
【図３５】
2005242183.tif 000037
【図３６】
2005242183.tif 000038
【図３７】
2005242183.tif 000039